(57)【要約】【課題】  農業技術として少量の水または少量の養液を多数回繰り返し作物に与える方法がある。この場合、電源、ポンプ、タイマー、チューブ、ノズル等を使用するが、ノズルが詰まる場合がある。【解決手段】  前記の課題を解決するためにノズルを使用しない方法とした。水又は養液が自然に流れる、ゆるい下り勾配の管路を設置し、この管路の底部に多数の落下孔を設け、水又は養液を落下する方法とした。この落下孔から落下する水の量を調整するため整流管を設け、この中に穴あき駒を設置し、穴あき駒の穴の大きさ及び穴あき駒に作用する水圧を調整する、作物への給水方法及びその給水装置とした。【選択図】  図４
2020036541.tif 000002
【特許請求の範囲】
【請求項１】
水又は適正な濃度の養液(以下単に水とする)が自然に流れる、ゆるい下り勾配の管路（硬質塩化ビニール管）を設置し、この管路の長さ方向に適切な間隔のあけて、水を落下させる為チーズの凸部を下向きに設置し各のチーズの下に直管、ソケット及び整流用穴あき駒よりなる整流管を設置し、整流管の中に、この中を落下する水の量を調整する為に穴あき駒を設置し、この穴あき駒の穴の大きさを増減する方法を方法１とし、穴あき駒に働く水圧を調整して落下する水の量を調整する為、チーズの底面の上端から穴あき駒の上面までの距離を増減して調整する方法を方法２とし、上記２つの方法の、いずれか１つまたは両方を使用して落下量を調整するものであり、管路の高い方の端部から水を注入するが、注入する水の量と時間は各の整流管から落下する水の量と管路の末端から落下する水の量を勘案して定める、作物への給水方法及びその給水装置。
【請求項２】
請求項１により作業を実施した後、その結果をみて更に整流管から落下する水の量と管路の末端から落下する水の量の調整を繰り返す為、上記２つの方法の、いずれか１つまたは両方を使用して落下量を調整する、作物への給水方法及びその給水装置。
【発明の詳細な説明】
【技術分野】
【０００１】
この発明はトマト、ナス、キュウリ等の野菜及び柿、林檎、ぶどう等の果樹（以下、作物）を栽培する場合の、給水方法及びその給水装置に関する。
【背景技術】
【０００２】
高度な農業技術を駆使し高品質の農業生産物を得ようとするとき、少量の水及び少量の適正な濃度の養液を多数回繰り返し作物に与える方法がある。なお本願では少量の水及び少量の適正な濃度の養液を単に少量の水と称する。また水及び適正な濃度の養液を単に水と称する。このような作物を栽培する場合、給水方法及びその給水装置が重要な課題になる。
【先行技術文献】
【特許文献】
【０００３】
【特許文献１】特開平９−１０７８２７号公報
【非特許文献】
【０００４】
【非特許文献１】現代農業  一般社団法人  農山漁村文化協会村  １９９８年８月号  P、２８６
【発明の概要】
【発明が解決しようとする課題】
【０００５】
この少量の水を多数回繰り返し作物に与える作業は人が直接行うのではなく水槽、電源、ポンプ、タイマー、チューブ、ノズル等によるのが一般的である。しかし、このノズルが詰まる場合がある。このことは特許文献１の段落(０００４)及び非特許文献１のP、２８６に  かん水は２系統で、の項に示されている。
【０００６】
前記の課題を解決するための手段の１つがが特許文献１に公開されている。その段落(００２０)に不織布を用いた具体例が示されている。不織布は養液の養分によりこけ、が発生するが、洗浄すれば繰り返し使える。また安価のため新規のものに取り替えても費用はあまり増加しない。また同一サイズの不織布でも滴下量に、ばらつきがあるが、前もって試験をして極端に多いもの少ないものを取り除けば問題は減少する。これらの課題は比較的小さいとは云え面積が広くなると煩わしい課題になる。本願ではこれらの課題を解決するための検討をした。
【課題を解決するための手段】
【０００７】
前記の課題を解決するために本願ではノズルを使用せず、また不織布も使用しないものとした。図１に示すように水が自然に流れる１／１００（１００cmにつき１cm）〜１／５０（５０cmにつき１cm）の、ゆるい下り勾配の管路１を設置し、この管路１の長さ方向に適切な間隔をあけて底部に、水を落下させる為の落下孔２を、多数設ける。管路１は既製品を使用する場合は硬質塩化ビニール管３（以下、塩ビ管３）を使用し、落下孔２には、その付属品のT型のチーズ４を凸部を下向きに使用し、落下孔とする。塩ビ管３及びチーズ４の図面代用写真を図２に示す。図１の管路１の上下方向の縮尺は拡大して表示している。
【０００８】
管路１の上端（左側）にエルボ５を設置し、ここに水を注入する。エルボ５と共に、その拡大部を含めて図面代用写真を図３に示す。管路１の末端に容器６を設置し余った水を貯めてポンプとホースで元の水槽に送り再利用する。チーズ４の交差点にて落下する水と更に下流に流れるものとに分かれる。この割合は管路１の勾配、水の流速及び管の径などにより不安定である。
【０００９】
ー  これを安定化するためにチーズ４の下方に短管７、ソケット８及び整流用穴あき駒９よりなる整流管１０を使用する。これを図４に示す。（a）はその断面図、（ｂ）は整流用穴あき駒９の平面図である。整流用穴あき駒９とソケット８との結合はソケット８の管の厚さが端部より内部が厚いテーパーがあり内径が順次縮小していることを利用して嵌合するか又はソケット８と整流用穴あき駒９との接触部を接着剤で止める。整流用穴あき駒９の中央の穴部１１の大きさにより流下する水の量を調整する。図４のものは図２の図面代用写真にも示す。
【００１０】
流下する水の量の調整は穴部１１の大きさにより調整する方法とは別に整流用穴あき駒９に加わる水圧によっても調整できる。図４の（a）の表示Hのようにチーズ４の交差部の底面の上端から整流用穴あき駒９の上面までの距離Hを短管７の長さを変えて調整する。この調整の具体例を後記の（発明を実施するための形態）に数値と共に示す。
【００１１】
ソケット８から落下した水は下部短管１２で受け、受け部１３に容れ、受け部１３の側面の下方に設けるチューブ１４で作物に与える。または逆V型チューブ１５によりサイフォンの原理で作物に与える。これらを図４に示す。チューブ１４及び逆V型チューブ１５は図４に示すように各１本の他に複数の場合もある。
【００１２】
次に管路１を水平では、なく勾配のあるもの、にすることについて記載する。管路１を誤差のないように正確に水平に設置するには下から支えても上から吊っても、多大の労力、費用及び時間を要する。また正確に水平に設置した後も地盤の沈下やハウスの骨組みの風による変形により上下に揺れることがある。
【００１３】
支点の間隔が１mで各の支点の位置に落下孔があり、ある支点が両側の支点より３mm低い場合を想定する。長さ２ｍ内径１３mmのVP塩ビ管を水平に設置し中央に３mmの、たわみを作り水を注入し静置後の水の体積を実測すると１１０ｍｌである。また内径４４mm（呼び径４０mm）のVU塩ビ管の場合は１３０mmである。たわみ部の様子は図５に示す。A、B及びCは各の支点である。B点でたわみ、すなわち沈下をTで表示している。なお上下方向の縮尺は拡大して表示している。
【００１４】
管路を水平に設置し高い位置の注入口から管路に水を流した場合、流れが終了した後も沈下した部分に水が残る。沈下した部分に残る水が他の、沈下の無いところより多くなり、加算され誤差となる。作物に与える１箇所当たり１回の給水量は様々であるが２００ml〜３００ml前後の場合が多い。この為前記の値の１１０ｍｌ及び１３０ｍｌは２００mlに対して５５％〜６５％であり、３００mｌに対して３６％〜４３％である。
【００１５】
管路１に勾配を設けることにより支点の沈下による誤差を解消できる。例えば勾配が１／１００で、支点の間隔が１mで沈下が３mmの場合について図６に記載する。なお上下方向の縮尺は拡大して表示している。支点Aと支点Cの距離が２００cmで勾配が１／１００の場合、A点と比較してC点の下方のD点で２０mm低く、中央のB点の下方のE点では１０mm低いがD点より１０mm高い。ここに３mmの沈下（a〜b）のある管路１を設置すると７mm（ｂ〜c）の余裕がある。これにより支点の沈下があっても勾配は確保でき水は正常に流れる。また水平に設置する場合に比較して勾配を１／１００にする精度は誤差に余裕があり施工が楽である。
【発明の効果】
【００１６】
農業の栽培の為の灌水装置を設置する場合、電源、ポンプ、タイマー、チューブ、ノズル等を使用したものは、ノズルが詰まる場合がある。今回ノズルを使用しない方法とした。これにより作物を安心かつ格安に生産できる。
【図面の簡単な説明】
【００１７】
【図１】本発明の管路等を示す全体の側面図である。
【図２】塩ビ管、チーズ、短管、ソケット、整流用穴あき駒、下部短管を示す図面代用写    真である。（a）は分解図（ｂ）は完成図である。
【図３】エルボ及びその拡大部と塩ビ管示す図面代用写真である。a）は分解図（ｂ）は完成図である。
【図４】チーズ、短管、ソケット、整流用穴あき駒、下部短管、各の断面図及び受け部、チューブ、逆V型チューブの説明図及び整流用穴あき駒の平面図である。
【図５】水平に設置した管路の沈下の説明図である。
【図６】管路の沈下による誤差を解消する説明図である。
【図７】落下量の表１である。
【発明を実施するための形態】
【００１８】
内径１３mmのVP塩ビ管を使用し、その長さ９５ｃｍのものを８本用い、これを接続する為のチーズ７個及び注入孔としてエルボを使用する。チーズの両端に塩ビ管を接続しチーズ共で中心間隔を１ｍとする。合計の延長８ｍの管路を設置し、この管路の勾配を１／１００に設置する。管路の高い方の一端にエルボを設置し水を注入する。チーズの凸部を下に向け、ここより水を落下させ落下孔とする。これらのものは（課題を解決するための手段）及び（図１）の側面図、（図２）、（図３）の図面代用写真及び（図４）の断面図、説明図等に説明したものである。
【００１９】
落下する水の量の最小は管路の末端よりの水の落下が始まる時となる。この時水の注入を止めると、あとは左側のNO１の落下孔より順次に水の落下が無くなる。具体的には注入量を２．５リットルとし注入時間を３０秒とした。整流用穴あき駒の穴部の穴の大きさは７箇所とも２．５mmとした。その結果を図７の表１の１行目に示す。この結果は注入孔に近い左側のNO１のものが水圧が高い為、落下量が多い。これを修正するためにNO１の整流用穴あき駒の穴部の穴の大きさを２．５mmから２．０mmに縮小した。
【００２０】
また末端側のNO６及びNO７が水圧が低い為、落下量が少ない。これを修正するためにNO６及びNO７のものは図４に示すチーズの交差部の底面の上端から整流用穴あき駒の上面までの距離Hを６０mmから１００mmにして水圧を増加した。
【００２１】
以上の２つの修正後の各の落下量と末端の落下量とを表１の３行目に示す。１行目の修正前の落下量の平均値と各の落下量の平均値との割合を％で示すものを２行目に示す。また３行目の修正後の落下量の平均値と各の落下量の平均値との割合を％で示すものを４行目に示す。
【００２２】
再度、穴部の穴の大きさ及びチーズの交差部の底面の上端から整流用穴あき駒の上面までの距離Hを修正すれば誤差は更に縮小できる。別の方法として予め様々のケースについて実験した資料を作成しておき、これを利用すれば作業は簡単になる。各の落下量を更に多くする場合は注入量及び落下時間を多くする。注入量及び落下時間を２倍にした場合、流れが安定化し各の落下量が、ほぼ２倍になった。
【符号の説明】
【００２３】
１  管路
２  落下孔
３  硬質塩化ビニール管
４  チーズ
５  エルボ
６  容器
７  短管
８  ソケット
９  整流用穴あき駒
１０  整流管
１１  穴部
１２  下部短管
１３  受け部
１４  チューブ
１５  逆V型チューブ
【図１】
2020036541.tif 000003
【図２】
2020036541.tif 000004
【図３】
2020036541.tif 000005
【図４】
2020036541.tif 000006
【図５】
2020036541.tif 000007
【図６】
2020036541.tif 000008
【図７】
2020036541.tif 000009
【手続補正書】
【提出日】平成31年1月30日(2019.1.30)
【手続補正１】
【補正対象書類名】特許請求の範囲
【補正対象項目名】全文
【補正方法】変更
【補正の内容】
【特許請求の範囲】
【請求項１】
１／１００（１００cmにつき１cm）〜１／５０（５０cmにつき１cm）の下り勾配の管路を設置し、ここに水又は養液(以下単に水とする)を流下させ、この管路の長さ方向に間隔をあけて水を落下させる為チーズの凸部を下向きにチーズを多数設置し各のチーズの下に直管、ソケット及び整流用穴あき駒よりなる整流管を設置し、この整流管から落下する水の量を調整する方法の方法１として整流用穴あき駒の穴の大きさを増減する方法があり、方法２としてチーズの底面の上端から穴あき駒の上面までの距離を増減して水圧を調整して落下する水の量を調整する方法があり、方法１又は方法２の、いずれか１つ、又は両方を使用する方法であり、管路の高い方の端部から水を注入する、作物への給水方法。
【請求項２】
１／１００（１００cmにつき１cm）〜１／５０（５０cmにつき１cm）の下り勾配の管路を設置し、ここに水又は養液(以下単に水とする)を流下させ、この管路の長さ方向に間隔をあけて水を落下させる為チーズの凸部を下向きにチーズを多数設置し各のチーズの下に直管、ソケット及び整流用穴あき駒よりなる整流管を設置し、この整流管から落下する水の量を調整する構成の構成１として整流用穴あき駒の穴の大きさを増減する構成があり、構成２としてチーズの底面の上端から穴あき駒の上面までの距離を増減して水圧を調整して落下する水の量を調整する構成があり、構成１又は構成２の、いずれか１つ、又は両方を使用する構成であり、管路の高い方の端部から水を注入する、作物への給水装置。
【手続補正２】
【補正対象書類名】明細書
【補正対象項目名】０００４
【補正方法】変更
【補正の内容】
【０００４】
【非特許文献１】現代農業  一般社団法人  農山漁村文化協会  １９９８年８月号  P、２８６
【手続補正３】
【補正対象書類名】明細書
【補正対象項目名】００１３
【補正方法】変更
【補正の内容】
【００１３】
支点の間隔が１mで各の支点の位置に落下孔があり、ある支点が両側の支点より３mm低い場合を想定する。長さ２ｍ内径１３mmのVP塩ビ管を水平に設置し中央に３mmの、たわみを作り水を注入し静置後の水の体積を実測すると１１０ｍｌである。また内径４４mm（呼び径４０mm）のVU塩ビ管の場合は１３０ｍｌである。たわみ部の様子は図５に示す。A、B及びCは各の支点である。B点でたわみ、すなわち沈下をTで表示している。なお上下方向の縮尺は拡大して表示している。